(57)【特許請求の範囲】
【請求項１】
第１のパケットと、第２のパケットとに基づいて、第３のパケットを生成するパケット生成部と、
前記第３のパケットから、前記第２のパケットを所定の周期で含む、デジタル放送のための主信号を生成する主信号生成部と、
前記主信号が生成される過程において得られる情報に基づいて、前記デジタル放送のための伝送多重制御情報を生成する情報生成部と、
前記伝送多重制御情報と、この伝送多重制御情報よりも所定数のフレーム前の伝送多重制御情報に記載されている情報に対応する主信号とを結合して、スロットを生成するスロット生成部と、
前記生成されたスロットが、受信側へ送信されるときに、このスロットに含まれる主信号に含まれる前記第２のパケットに、現在時刻を書き込む時刻書込部と、
を備えた多重化装置。
【請求項２】
前記第１のパケットと、前記第２のパケットとを受け取り、上位側からの設定に従って、前記第３のパケットの生成に必要なパケットを、前記パケット生成部へ送る多重化部をさらに備え、
前記パケット生成部は、前記多重化部から送られたパケットに、所定のパケットヘッダを付加して、前記第３のパケットを生成する、請求項１に記載の多重化装置。
【請求項３】
前記情報生成部によって生成された伝送多重制御情報を記憶するための第１のバッファ部と、
前記主信号生成部によって生成された主信号を記憶するための第２のバッファ部と、
をさらに備える請求項１または２に記載の多重化装置。
【請求項４】
前記主信号生成部は、前記パケット生成部によって生成された第３のパケットを、指定された変調方式および符号化率に基づいて、前記スロット内に含まれるべき主信号領域に多重し、前記第２のバッファ部に記憶させ、前記多重の結果から、前記スロット毎に含まれるべき最初のパケットの先頭の位置と最後のパケットの末尾の位置とを示す位置情報を生成し、前記情報生成部に出力する、請求項３に記載の多重化装置。
【請求項５】
前記情報生成部は、前記位置情報に基づいて、前記伝送多重制御情報を生成する、請求項４に記載の多重化装置。
【請求項６】
前記スロット生成部は、指定されたフレーム同期信号に基づいて、前記第１のバッファ部から伝送多重制御情報を取得し、前記第２のバッファ部から、この伝送多重制御情報よりも、所定数のフレーム前の伝送多重制御情報に記載されている位置情報に対応する主信号を取得し、前記取得した伝送多重制御情報と前記取得した主信号とを結合して、前記スロットを生成する、請求項３乃至５のうち何れか１項に記載の多重化装置。
【請求項７】
前記時刻書込部に現在時刻を伝える時計部をさらに備え、
前記時刻書込部は、前記時計部によって伝えられた現在時刻を、前記第２のパケットに書き込む、請求項１乃至６のうち何れか１項に記載の多重化装置。
【請求項８】
前記第２のパケットを生成する第２のパケット生成部をさらに備え、
前記第２のパケット生成部は、前記第２のパケットを生成した場合に、前記第２のパケットに仮の時刻を書き込み、
前記時刻書込部は、前記第２のパケット生成部によって前記第２のパケットに書き込まれた仮の時刻に、前記時計部によって伝えられた現在時刻を上書きすることによって、前記時計部によって伝えられた現在時刻を、前記第２のパケットに書き込む、請求項７に記載の多重化装置。
【請求項９】
前記第１のパケットはＭＭＴＰパケット、前記第２のパケットはＮＴＰパケット、前記第３のパケットはＴＬＶパケット、前記伝送多重制御情報はＴＭＣＣ情報、前記スロットはＴＬＶスロット、前記所定数のフレームは２フレームである、請求項１乃至８のうち何れか１項に記載された多重化装置。
【請求項１０】
第１のパケットと、生成された第２のパケットとに基づいて、第３のパケットを生成し、
前記第３のパケットから、前記第２のパケットを所定の周期で含む、デジタル放送のための主信号を生成し、
前記主信号が生成される過程において得られる情報に基づいて、前記デジタル放送のための伝送多重制御情報を生成し、
前記伝送多重制御情報と、この伝送多重制御情報よりも所定数のフレーム前の伝送多重制御情報に記載されている情報に対応する主信号とを結合して、スロットを生成し、
前記生成されたスロットが、受信側へ送信されるときに、このスロットに含まれる主信号に含まれる前記第２のパケットに、現在時刻を書き込む、
多重化方法。
【請求項１１】
前記第３のパケットを生成する場合、前記第１のパケットと、前記第２のパケットとのうち、上位側からの設定に従って選択された、前記第３のパケットの生成に必要なパケットに、所定のパケットヘッダを付加して、前記第３のパケットを生成する、請求項１０に記載の多重化方法。
【請求項１２】
前記生成された伝送多重制御情報を第１のバッファ部に記憶し、
前記生成された主信号を第２のバッファ部に記憶する、
請求項１０または１１に記載の多重化方法。
【請求項１３】
前記主信号を生成する場合、前記生成された第３のパケットを、指定された変調方式および符号化率に基づいて、前記スロット内に含まれるべき主信号領域に多重し、前記第２のバッファ部に記憶させ、前記多重の結果から、前記スロット毎に含まれるべき最初のパケットの先頭の位置と最後のパケットの末尾の位置とを示す位置情報を生成する、請求項１２に記載の多重化方法。
【請求項１４】
前記伝送多重制御情報を生成する場合、前記位置情報に基づいて、前記伝送多重制御情報を生成する、請求項１３に記載の多重化方法。
【請求項１５】
前記スロットを生成する場合、指定されたフレーム同期信号に基づいて、前記第１のバッファ部から伝送多重制御情報を取得し、前記第２のバッファ部から、この伝送多重制御情報よりも、所定数のフレーム前の伝送多重制御情報に記載されている位置情報に対応する主信号を取得し、前記取得した伝送多重制御情報と前記取得した主信号とを結合して、前記スロットを生成する、請求項１２乃至１４のうち何れか１項に記載の多重化方法。
【請求項１６】
前記第２のパケットに現在時刻を書き込む場合、時計によって伝えられた現在時刻を、前記第２のパケットに書き込む、請求項１０乃至１５のうち何れか１項に記載の多重化方法。
【請求項１７】
前記第２のパケットを生成した場合、前記第２のパケットに仮の時刻を書き込み、
前記第２のパケットに現在時刻を書き込む場合、前記第２のパケットに書き込まれた仮の時刻に、前記時計によって伝えられた現在時刻を上書きすることによって、前記時計によって伝えられた現在時刻を、前記第２のパケットに書き込む、請求項１６に記載の多重化方法。
【請求項１８】
前記第１のパケットはＭＭＴＰパケット、前記第２のパケットはＮＴＰパケット、前記第３のパケットはＴＬＶパケット、前記伝送多重制御情報はＴＭＣＣ情報、前記スロットはＴＬＶスロット、前記所定数のフレームは２フレームである、請求項１０乃至１７のうち何れか１項に記載された多重化方法。
【発明の詳細な説明】
【技術分野】
【０００１】
本発明の実施形態は、デジタル放送のための多重化装置および多重化方法に関する。
【背景技術】
【０００２】
衛星デジタル放送の規格であるＡＲＩＢ  ＳＴＤ−Ｂ４４「高度広帯域衛星デジタル放送の伝送方式」によれば、ＮＴＰ（Network Time Protocol）形式を含むＩＰパケットは、遅延変動を抑えて伝送する必要があり、ＴＬＶ（Type Length Value）ストリームＩＤごとに割り当てられたスロットのうち、最初のスロットに配置することが要求されている。
【０００３】
また、各スロットに対する伝送ストリームの割り当てや伝送方式との関係など、伝送制御に関する情報で構成されるＴＭＣＣ（Transmission and Multiplexing Configuration and Control）情報は、伝送方式等の切り替えが行われる場合には、主信号に対して２フレーム先行して切り替え後の情報を伝送することが要求されている。つまり、ＴＭＣＣ情報を２フレーム先行させるために、主信号をＴＭＣＣ情報よりも２フレーム遅延させる必要がある。
【０００４】
このように、主信号をＴＭＣＣ情報よりも２フレーム遅延させるために、従来適用されているＡＲＩＢ  ＳＴＤ−Ｂ４４規格に準拠した多重化装置１００について、図４を用いて簡単に説明する。
【０００５】
多重化装置１００の多重化部１１４には、エンコーダ９２、字幕送出装置９４、ＥＰＧ（電子番組表）送出装置９６などから、入力部１  １０２、入力部２  １０４、・・・入力部ｎ  １０６を介して、ＭＭＴＰ／ＩＰパケット化された映像、音声、静止画、文字テキスト等のデータが入力される。多重化部１１４にはまた、放送局等のＳＩ送出装置９８などから、ＳＩ（Signaling Information）入力部１０８を介して、搬送波や伝送路に関する情報である制御情報が入力される。多重化部１１４にはさらに、ＮＴＰパケット生成部１１２によって生成されたＮＴＰパケットも入力される。なお、ＮＴＰパケット生成部１１２によって生成されたＮＴＰパケットには、時計部１１０によって、生成時の時刻が書き込まれている。
【０００６】
多重化部１１４では、これら複数のデータ、制御情報、およびＮＴＰパケットが、上位制御装置９０から設定された情報に基づいて時分割多重化され、ＴＬＶパケット生成部１１６へ出力される。ＴＬＶパケット生成部１１６では、ＴＬＶパケット生成部１１６から出力されたデータにＴＬＶヘッダが付加され、ＴＬＶパケットが生成される。
【０００７】
主信号生成部１１８では、ＴＬＶパケット生成部１１６において生成されたＴＬＶパケットから、外部から入力されるフレーム同期信号Ａに基づいて、所定のタイミングで主信号が生成され、ＴＭＣＣ情報生成部１２０へ送られるとともに、主信号バッファ部１２４へ送られ、記憶される。
【０００８】
ＴＭＣＣ情報生成部１２０では、主信号生成部１１８から送られた主信号および上位制御装置９０から設定された情報に基づいて、ＴＭＣＣ情報が生成され、ＴＭＣＣ情報バッファ部１２２に記憶される。
【０００９】
ＴＭＣＣ情報バッファ部１２２に記憶されたＴＭＣＣ情報は、フレーム同期信号Ａにしたがって、所定のタイミングでＴＬＶスロット生成部１２６によって取得される。また、ＴＬＶスロット生成部１２６には、主信号バッファ部１２４から主信号も取得され、ＴＭＣＣ情報と合成されることによりＴＬＶスロットが生成される。なお、前述したように、ＴＭＣＣ情報を主信号に対して２フレーム先行させて出力する必要があるので、ＴＬＶスロット生成部１２６には、ＴＭＣＣ情報に対して２フレーム遅延した主信号が主信号バッファ部１２４から取得される。
【００１０】
図５は、ＡＲＩＢ  ＳＴＤ−Ｂ４４に記載の、ＴＬＶフレームの構成図である。詳細な説明は省略するが、主信号を構成するスロット（Ｓｌｏｔ  ＃１，＃２，・・・＃２４）のおのおのの終わりの１６５バイトの中にＴＭＣＣ情報が書き込まれている。そして、１２０スロットで１フレームを構成する。なお、ＴＬＶフレームの構成については図に記載の構成のみに限定されるものではない。
【００１１】
ＴＭＣＣ情報と、２フレーム遅延した主信号との関係は、図６に示す如くとなる。例えば、フレーム（Ｎ−２）の第１スロットのＴＭＣＣ情報に記載されているポインタ／スロット情報には、フレームＮの第１スロットに包含される最初のパケットの先頭位置と、最後のパケットの末尾の位置が記載されている。１フレームは約３３ミリ秒（ｍｓ）（33.0464716 ms）であるので、ＴＭＣＣ情報と、そのＴＭＣＣ情報に記載されているポインタ／スロット情報が指し示す主信号との送出タイミングは、ＴＭＣＣ情報に対して、主信号が約６６ｍｓ遅延して出力される関係となる。
【００１２】
ＴＬＶスロット生成部１２６によって生成されたＴＬＶスロットは、出力部１２８から、衛星放送網を介して、各家庭のような、受信側へと送信される。送信されたＴＬＶスロットは、受信側における受信機（図示せず）において受信され、受信機では、ＴＬＶスロットに多重されたＮＴＰパケットに書き込まれた時刻に基づいてシステム時刻が合わせられる。ＴＭＣＣ情報に対し、そのＴＭＣＣ情報に記載されているポインタ／スロット情報が指し示す主信号との送出タイミングは、ＴＭＣＣ情報に対して、主信号が約６６ｍｓ遅延して出力される関係となるため、受信機のシステム時刻は、ＴＬＶスロットが多重化装置１００から出力された時刻に対し、約６６ｍｓ遅延した時刻に合わせられる。
【先行技術文献】
【特許文献】
【００１３】
【特許文献１】特開２０１５−６１３１５号公報
【特許文献２】特開２０１１−１０３５６８号公報
【非特許文献】
【００１４】
【非特許文献１】ARIB STD-B44「高度広帯域衛星デジタル放送の伝送方式」
【発明の概要】
【発明が解決しようとする課題】
【００１５】
以上説明したように、従来の衛星デジタル放送では、ＴＭＣＣ情報は、伝送方式等の切り替えが行われる場合には、主信号に対して２フレーム先行して切り替え後の情報を伝送することが要求されており、ＴＭＣＣ情報を２フレーム先行させるために、主信号をＴＭＣＣ情報よりも２フレーム遅延させる必要がある。その結果、ＴＬＶスロットに多重されたＮＴＰパケットに書き込まれた時刻と、そのＴＬＶスロットを送出するタイミングとの間に２フレーム分（約６６ｍｓ）の遅延が生じる。受信機においてなされる映像や音声の復号・表示の開始は、システム時刻に基づいてなされるため、放送時における遅延を拡大することになり、もって、リアルタイム性を悪化させるという問題がある。
【００１６】
また、この遅延により、受信機における映像・音声パケットの受信時刻から、復号・表示の開始時刻までの時間が約６６ｍｓ長くなるため、その期間のデータをバッファリングしておくための受信機のバッファサイズが増加するという問題がある。
【００１７】
本発明が解決しようとする課題は、ＮＴＰパケットに書き込まれた時刻と、多重化装置からＴＬＶスロットが出力される時刻とのズレを解消することができる多重化装置および多重化方法を提供することである。
【課題を解決するための手段】
【００１８】
実施形態の多重化装置は、第１のパケットと、第２のパケットとに基づいて、第３のパケットを生成するパケット生成部と、第３のパケットから、第２のパケットを所定の周期で含む、デジタル放送のための主信号を生成する主信号生成部と、主信号が生成される過程において得られる情報に基づいて、デジタル放送のための伝送多重制御情報を生成する情報生成部と、伝送多重制御情報と、この伝送多重制御情報よりも所定数のフレーム前の伝送多重制御情報に記載されている情報に対応する主信号とを結合して、スロットを生成するスロット生成部と、生成されたスロットが、受信側へ送信されるときに、このスロットに含まれる主信号に含まれる第２のパケットに、現在時刻を書き込む時刻書込部とを備える。
【図面の簡単な説明】
【００１９】
【図１】本実施形態の多重化方法が適用された多重化装置の構成例を示す機能ブロック図である。
【図２】本実施形態の多重化方法が適用された多重化装置の動作例を示すフローチャート（前半）である。
【図３】本実施形態の多重化方法が適用された多重化装置の動作例を示すフローチャート（後半）である。
【図４】ＡＲＩＢ  ＳＴＤ−Ｂ４４規格に準拠した多重化装置の構成例を示す機能ブロック図である。
【図５】ＡＲＩＢ  ＳＴＤ−Ｂ４４規格にしたがうＴＬＶフレームの構成図である。
【図６】ＴＭＣＣ情報と、２フレーム遅延した主信号との関係を示す概念図である。
【発明を実施するための形態】
【００２０】
以下に、本発明の実施形態の多重化方法が適用された多重化装置を、図面を参照して説明する。
【００２１】
図１は、本実施形態の多重化方法が適用された多重化装置の構成例を示す機能ブロック図である。
【００２２】
すなわち、本実施形態の多重化方法が適用された多重化装置１０は、複数の入力部（例えば、入力部１  １２、入力部２  １４、・・・・入力部ｎ  １６）と、ＳＩ入力部１８と、ＮＴＰパケット生成部２０と、多重化部２２と、ＴＬＶパケット生成部２４と、主信号生成部２６と、ＴＭＣＣ情報生成部２８と、ＴＭＣＣ情報バッファ部３０と、主信号バッファ部３２と、ＴＬＶスロット生成部３４と、ＮＴＰ時刻書込部３６と、時計部３８と、出力部４０とを備えている。なお、この多重化装置１０は、衛星デジタル放送のために適用されるのが好適であるが、衛星デジタル放送に限定される訳ではない。
【００２３】
入力部１  １２、入力部２  １４、・・・・入力部ｎ  １６は、放送局等の、例えば、エンコーダ９２、字幕送出装置９４、ＥＰＧ送出装置９６から、映像、音声、静止画、文字テキスト等といったＭＭＴＰパケット形式のデータを受け取り、多重化部２２へと出力する。
【００２４】
ＳＩ入力部１８は、放送局等のＳＩ送出装置９８からの設定に従い、搬送波や伝送路に関する制御情報であるＴＬＶ−ＳＩ情報を受け取り、多重化部２２へと出力する。
【００２５】
ＮＴＰパケット生成部２０は、外部から入力されるフレーム同期信号Ａに基づいて、所定の周期でＮＴＰパケットを生成し、多重化部２２へと出力する。ＮＴＰパケット生成部２０はまた、生成したＮＴＰパケットに、仮の時刻を書き込む。
【００２６】
多重化部２２は、入力部１２〜１６から出力されたＭＭＴＰパケットと、ＳＩ入力部１８から出力されたＴＬＶ−ＳＩ情報と、ＮＴＰパケット生成部２０から出力された仮の時刻が書き込まれたＮＴＰパケットとを受け取る。そして、放送局等の上位制御装置９０からの設定に従って、これらの中から、ＴＬＶパケットの生成に必要なパケットを選択し、ＴＬＶパケット生成部２４へ出力する。
【００２７】
ＴＬＶパケット生成部２４は、多重化部２２から出力されたパケットに、所定のパケットヘッダを付加して、ＴＬＶパケットを生成し、主信号生成部２６へ出力する。
【００２８】
主信号生成部２６は、フレーム同期信号Ａに従い、ＴＬＶスロット生成タイミングを検出する。そして、ＴＬＶスロット生成タイミングを検出すると、ＴＬＶパケット生成部２４から出力されたＴＬＶパケットを、放送局等の上位制御装置９０によって指定された変調方式および符号化率に基づいて、ＴＬＶスロット内に含まれるべき主信号領域に多重することによって、デジタル放送のための主信号を生成し、主信号バッファ部３２に出力する。
【００２９】
主信号生成部２６はまた、多重の結果から、ＴＬＶスロット毎に含まれるべき最初のパケットの先頭位置と、最後のパケットの末尾位置とを示す位置情報であるポインタ／スロット情報を生成し、ＴＭＣＣ情報生成部２８に出力する。
【００３０】
ＴＭＣＣ情報生成部２８は、放送局等の上位制御装置９０からの設定、および、主信号生成部２６から出力されたポインタ／スロット情報に基づいて、ＴＭＣＣ情報を生成する。
【００３１】
ＴＭＣＣ情報バッファ部３０は、ＴＭＣＣ情報生成部２８によって生成されたＴＭＣＣ情報を記憶する。
【００３２】
主信号バッファ部３２は、主信号生成部２６によって生成された主信号を記憶する。
【００３３】
ＴＬＶスロット生成部３４は、フレーム同期信号Ａに基づいて、ＴＬＶスロット送信タイミングを検出する。そして、ＴＬＶスロット送信タイミングを検出すると、ＴＭＣＣ情報バッファ部３０からＴＭＣＣ情報を取得する。また、取得したＴＭＣＣ情報に記載されているポインタ／スロット情報に対応する主信号を主信号バッファ部３２から取得する。
具体的には、（Ｎ−２）番目のフレームのＴＭＣＣ情報と、Ｎ番目のフレームの主信号のデータとを取得する。そして、これらＴＭＣＣ情報と、主信号とを結合して、ＴＬＶスロットを生成し、ＮＴＰ時刻書込部３６へ出力する。前述したように、主信号は、仮の時刻が書き込まれたＮＴＰパケットを含んでいる。さらに、この主信号は、前述したように、ＴＭＣＣ情報よりも２フレーム遅延したものとなっている。
【００３４】
ＮＴＰ時刻書込部３６は、ＴＬＶスロット生成部３４からＴＬＶスロットが出力されると、このＴＬＶスロットに含まれる主信号に含まれるＮＴＰパケットに書き込まれている時刻に、時計部３８から提供される現在時刻を上書きすることによって、ＮＴＰパケットの時刻を現在時刻に書き換える。そして、このように、ＮＴＰパケットの時刻が書き換えられたＴＬＶスロットを、出力部４０へ出力する。また、ＮＴＰ時刻書込部３６は、ＮＴＰパケットを格納するＵＤＰ／ＩＰパケットのＵＤＰチェックサム値の再計算および書き換えも行う。
【００３５】
出力部４０は、ＮＴＰ時刻書込部３６から出力されたＴＬＶスロットを、ＩＰパケット化（ＴＬＶスロット／ＩＰ）し、衛星放送網を介して、各家庭のような、受信側へと送信する。
【００３６】
送信されたＴＬＶスロットは、受信側における受信機（図示せず）において受信される。受信機では、ＴＬＶスロットに多重されたＮＴＰパケットに書き込まれた時刻に基づいて、受信機のシステム時刻が合わせられる。ＮＴＰパケットに書き込まれている時刻は、ＴＬＶスロットが多重化装置１０から出力される直前に、ＮＴＰ時刻書込部３６において、時計部３８から提供される現在時刻に書き換えられている。したがって、ＴＬＶスロットが多重化装置１０（出力部４０）から出力された時刻と、受信機のシステム時刻とは、一致するようになる。
【００３７】
次に、以上のように構成した本実施形態の多重化方法が適用された多重化装置１０の動作例を図２および図３のフローチャートを用いて説明する。
【００３８】
多重化装置１０では、入力部１  １２、入力部２  １４、・・・・入力部ｎ  １６において、放送局等の例えば、エンコーダ９２、字幕送出装置９４、ＥＰＧ送出装置９６から入力された、映像、音声、静止画、文字テキスト等といったＭＭＴＰパケット形式のデータが受け取られ、多重化部２２へ出力される（Ｓ１）。
【００３９】
また、ＳＩ入力部１８において、放送局等のＳＩ送出装置９８からの設定に従い、搬送波や伝送路に関する制御情報であるＴＬＶ−ＳＩ情報が受け取られ、多重化部２２へ出力される（Ｓ２）。
【００４０】
また、ＮＴＰパケット生成部２０において、外部から入力されるフレーム同期信号Ａに基づいて、所定の周期でＮＴＰパケットが生成され、多重化部２２へ出力される（Ｓ３）。このとき、ＮＴＰパケット生成部２０では、生成されたＮＴＰパケットに、仮の時刻が書き込まれる。
【００４１】
前述したステップＳ１〜Ｓ３は、図２では連続的なステップとして示されているが、この順序に限定されず、任意の順序で実行されて良い。また、並行して実施されても良い。
【００４２】
ステップＳ１〜Ｓ３の後、多重化部２２では、ステップＳ１において出力されたＭＭＴＰパケットと、ステップＳ２において出力されたＴＬＶ−ＳＩ情報と、ステップＳ３において出力されたＮＴＰパケットとの中から、放送局等の上位制御装置９０からの設定に従って、ＴＬＶパケットの生成に必要なパケットが選択され、時分割多重される（Ｓ４）。時分割多重されたパケットは、多重化部２２からＴＬＶパケット生成部２４へ出力される。
【００４３】
ＴＬＶパケット生成部２４では、多重化部２２から出力されたパケットに、所定のパケットヘッダが付加されることによって、ＴＬＶパケットが生成され、主信号生成部２６へ出力される（Ｓ５）。
【００４４】
主信号生成部２６では、フレーム同期信号Ａに従い、ＴＬＶスロット生成タイミングが検出される。そして、ＴＬＶスロット生成タイミングが検出されると、ＴＬＶパケット生成部２４から出力されたＴＬＶパケットが、放送局等の上位制御装置９０によって指定された変調方式および符号化率に基づいて、ＴＬＶスロット内に含まれるべき主信号領域に多重され、これによって、デジタル放送のための主信号が生成される（Ｓ６）。生成された主信号は、主信号バッファ部３２へ出力され、記憶される。
【００４５】
主信号生成部２６ではまた、ステップＳ６でなされた多重の結果から、ＴＬＶスロット毎に含まれるべき最初のパケットの先頭位置と、最後のパケットの末尾位置とを示す位置情報であるポインタ／スロット情報が生成され、ＴＭＣＣ情報生成部２８へ出力される（Ｓ７）。
【００４６】
ステップＳ７の後、ＴＭＣＣ情報生成部２８において、放送局等の上位制御装置９０からの設定、および、主信号生成部２６から出力されたポインタ／スロット情報に基づいて、ＴＭＣＣ情報が生成される（Ｓ８）。このようにしてＴＭＣＣ情報生成部２８によって生成されたＴＭＣＣ情報は、ＴＭＣＣ情報バッファ部３０に記憶される。
【００４７】
その後、ＴＬＶスロット生成部３４において、フレーム同期信号Ａに基づいて、ＴＬＶスロット送信タイミングが検出される。そして、ＴＬＶスロット生成部３４では、ＴＬＶスロット送信タイミングが検出されると、ＴＭＣＣ情報バッファ部３０からＴＭＣＣ情報が取得される（Ｓ９）。また、ステップＳ９において取得されたＴＭＣＣ情報よりも２フレーム前のＴＭＣＣ情報に記載されているポインタ／スロット情報に対応する主信号が、主信号バッファ部３２から取得される（Ｓ１０）。なお、ステップＳ９およびステップＳ１０の処理は、任意の順序で実行されて良い。また、並行して実施されても良い。
【００４８】
さらに、ステップＳ９で取得されたＴＭＣＣ情報と、ステップＳ１０で取得された主信号とが結合されて、ＴＬＶスロットが生成される（Ｓ１１）。生成されたＴＬＶスロットは、ＮＴＰ時刻書込部３６へ出力される。前述したように、主信号は、仮の時刻が書き込まれたＮＴＰパケットを含んでいる。さらに、この主信号は、前述したように、ＴＭＣＣ情報よりも２フレーム遅延したものとなっている。
【００４９】
ＮＴＰ時刻書込部３６では、ＴＬＶスロット生成部３４から出力されたＴＬＶスロットに含まれる主信号に含まれるＮＴＰパケットに書き込まれている時刻に、時計部３８から提供される現在時刻が上書きされる（Ｓ１２）。これによって、ＮＴＰパケットに書き込まれている時刻が、現在時刻に書き換えられる。そして、このように、ＮＴＰパケットの時刻が書き換えられたＴＬＶスロットが、出力部４０へ出力される。また、ＮＴＰ時刻書込部３６では、ＮＴＰパケットを格納するＵＤＰ／ＩＰパケットのＵＤＰチェックサム値の再計算および書き換えも行われる。
【００５０】
出力部４０では、ＮＴＰ時刻書込部３６から出力されたＴＶＬスロットが、ＩＰパケット化（ＴＬＶスロット／ＩＰ）された後に、衛星放送網を介して、各家庭のような、受信側へ送信される（Ｓ１３）。
【００５１】
送信されたＴＬＶスロットは、受信側における受信機（図示せず）において受信される（Ｓ１４）。受信機では、ＴＬＶスロットに多重されたＮＴＰパケットに書き込まれた時刻に基づいて、受信機のシステム時刻が合わせられる（Ｓ１５）。
【００５２】
このように、ＮＴＰパケットに書き込まれている時刻は、ＴＬＶスロットが出力部４０から出力される直前に、ＮＴＰ時刻書込部３６において、時計部３８から提供される現在時刻に書き換えられる。したがって、ＴＬＶスロットが多重化装置１０（出力部４０）から出力された時刻と、受信機のシステム時刻とは、一致するようになる。
【００５３】
このように、本実施形態の多重化方法が適用された多重化装置によれば、ＴＬＶスロットが多重化装置１０（出力部４０）から出力された時刻と、受信機のシステム時刻とは、一致するようになる。
【００５４】
これによって、従来技術の問題点であった、放送時における遅延の拡大や、リアルタイム性の悪化といった問題を解消することができる。また、受信機のバッファを拡大する必要もなくなる。
【００５５】
なお、変形例として、ＴＬＶスロット生成部３４において、ＴＬＶスロットを生成した後に、ＩＰカプセル化を行っても良い。この場合、ＮＴＰ時刻書込部３６は、ＩＰカプセル化の後に、ＮＴＰパケットに書き込まれている時刻に、時計部３８から提供される現在時刻を上書きすることによって、ＮＴＰパケットの時刻の書き換えを行う。
【００５６】
そして、ＮＴＰ時刻書込部３６において、ＮＴＰパケットを包むＩＰパケットのＵＤＰチェックサムのみを再計算する。この際、ＮＴＰ時刻書込部３６による時刻書込処理は、ＴＬＶスロットを包むＵＤＰヘッダのチェックサムには、影響を与えないため、ＴＬＶスロットを包むＵＤＰヘッダのチェックサム再計算は不要である。この手順によれば、ＴＬＶスロットを包むＵＤＰ／ＩＰヘッダ生成処理分の遅延・ジッタの影響を排除することができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１０  多重化装置、１２  入力部１、１４  入力部２、１６  入力部ｎ、１８  ＳＩ入力部、２０  ＮＴＰパケット生成部、２２  多重化部、２４  ＴＶＬパケット生成部、２６  主信号生成部、２８  ＴＭＣＣ情報生成部、３０  ＴＭＣＣ情報バッファ部、３２  主信号バッファ部、３４  ＴＬＶスロット生成部、３６  ＮＴＰ時刻書込部、３８  時計部、４０  出力部、９０  上位制御装置、９２  エンコーダ、９４  字幕送出装置、９６  ＥＰＧ送出装置、９８  ＳＩ送出装置、１００  多重化装置、１０２  入力部１、１０４  入力部２、１０６  入力部ｎ、１０８  ＳＩ入力部、１１０  時計部、１１２  ＮＴＰパケット生成部、１１４  多重化部、１１６  ＴＬＶパケット生成部、１１８  主信号生成部、１２０  ＴＭＣＣ情報生成部、１２２  ＴＭＣＣ情報バッファ部、１２４  主信号バッファ部、１２６  ＴＬＶスロット生成部、１２８  出力部
【図１】
0006529900.tif 000002
【図２】
0006529900.tif 000003
【図３】
0006529900.tif 000004
【図４】
0006529900.tif 000005
【図５】
0006529900.tif 000006
【図６】
0006529900.tif 000007